(57)【要約】      （修正有）【課題】本発明は、爪にコーティングを塗布する技術及び装置を提供する。【解決手段】システムは、特にタッチ面１１２及びカメラを有する、一般的なスマートフォン、携帯通信機器、その他移動通信機器１１３に適用可能である。本発明の装置は、爪にコーティングを施すために、アプリケータを適切な場所に動かし、またはユーザに対し、アプリケータに沿って指を動かすよう促す。【選択図】図７
2020116436.tif 000002
【特許請求の範囲】
【請求項１】
装飾する爪の画像を取得するための画像形成装置と、
前記爪の画像を表示するように構成された表示部と、
前記爪にコーティングを塗布するためのアプリケータと、
前記画像形成装置、前記表示部及び前記アプリケータに操作的に接続されたプロセッサと、を有し、
前記プロセッサは、
（ｉ）    前記爪にコーティングを塗布している最中に、前記アプリケータに対して前記爪が移動すべきパスを特定し；
（ｉｉ）  前記パスの例示を表示部に表示し；
（ｉｉｉ）前記アプリケータが前記爪にコーティングを施すことなく、前記パスの動きを練習するようにユーザに命令し；
（ｉｖ）  前記パスの動きの正確性が一定水準に達したことを検知し；
（ｖ）    前記爪にコーティングを施し；
（ｖｉ）  前記アプリケータに対応する前記パスを検知する；
ように構成されている爪装飾用システム。
【請求項２】
装飾する爪の画像を取得するための画像形成装置と、
前記爪の画像を表示するように構成された表示部と、
前記爪にコーティングを塗布するためのアプリケータと、
前記画像形成装置、前記表示部及び前記アプリケータに操作的に接続されたプロセッサと、を有し、
前記プロセッサは、
（ｉ）    前記爪にコーティングを塗布している最中に、前記アプリケータに対して前記爪が移動すべきパスを特定し；
（ｉｉ）  前記パスの例示を表示部に表示し；
（ｉｉｉ）前記爪にコーティングを施す、
ように構成されている爪装飾用システム。
【請求項３】
装飾する爪の画像を取得するための画像形成装置と、
前記爪の画像を表示するように構成された表示部と、
前記爪にコーティングを塗布するためのアプリケータと、
前記画像形成装置、前記表示部及び前記アプリケータに操作的に接続されたプロセッサと、を有し、
前記プロセッサは、
前記爪にコーティングを塗布している最中に、前記アプリケータに対して前記爪が移動すべきパスを特定する、
ように構成されている爪装飾用システム。
【請求項４】
前記プロセッサは、さらに
前記パスの例示を表示部に表示するように構成されている請求項３に記載の爪装飾用システム。
【請求項５】
前記プロセッサは、さらに
前記アプリケータが前記爪にコーティングを施すことなく、前記パスの動きを練習するようにユーザに命令するように構成されている請求項３に記載の爪装飾用システム。
【請求項６】
前記プロセッサは、さらに
前記パスの動きの正確性が一定水準に達したことを検知するように構成されている請求項５に記載の爪装飾用システム。
【請求項７】
前記プロセッサは、さらに
（ｉ）  前記パスの例示を表示部に表示し；
（ｉｉ）前記アプリケータが前記爪にコーティングを施すことなく、前記パスの動きを練習するようにユーザに命令し；
（ｉｉｉ）    前記爪にコーティングを施す；
ように構成されている請求項３に記載の爪装飾用システム。
【請求項８】
前記アプリケータは、
前記爪にタッチする際に前記爪にコーティングを与えることができる先端部と、
前記爪にタッチすることなく前記爪にコーティングを与えることができるノズルと、
を有する請求項３に記載の爪装飾用システム。
【請求項９】
前記アプリケータは、
取り外し可能な先端部を受けとる、または取り外し可能なコーティング貯蔵部に取り外し可能に接続されたフィッティング
を有する請求項３に記載の爪装飾用システム。
【請求項１０】
前記アプリケータはコーティング貯蔵部に接続され、
前記アプリケータ及びコーティング貯蔵部は、爪装飾用システムから取り外し可能である、請求項３に記載の爪装飾用システム。
【請求項１１】
さらに、前記アプリケータを直線方向に動かし、又は前記アプリケータを回転させる前記アプリケータに接続されたモータ、を備える請求項３に記載の爪装飾用システム。
【請求項１２】
可搬型電子機器をさらに有し、前記表示部、前記画像形成装置及び前記プロセッサは、可搬型電子機器に一体的に形成され、
前記可搬型電子機器は、前記爪装飾用システムを使用してコーティングされた爪のプレビュー画像を表示部に表示する、請求項３に記載の爪装飾用システム。
【請求項１３】
前記画像形成装置の視野に配置されたミラーと、
乾燥機構と、
を有する請求項３に記載の爪装飾用システム。
【請求項１４】
指の存在を特定するために構成されたタッチセンシティブ表面部をさらに有し、
前記画像形成装置は、前記タッチセンシティブ表面部に配置された指の存在に応答し、前記画像形成装置の実質的な視野の範囲において指の画像を記録するように構成されており、
前記プロセッサは、前記指の画像を分析し前記指における爪の境界を特定する視覚技術を実行させる、請求項３に記載の爪装飾用システム。
【請求項１５】
前記タッチセンシティブ表面部、前記画像形成装置及び前記プロセッサを含む可搬型電子機器をさらに有し、
前記タッチセンシティブ表面部は、タッチスクリーンディスプレイであり、
前記爪装飾用システムは、ユーザが指を前記パスに沿って動かす補助をするために、ユーザに命令を出す、請求項１０に記載の爪装飾用システム。
【請求項１６】
爪の画像を画像形成装置から受け取る手順と、
前記画像にデジタル画像処理を施し、爪の境界を特定する手順と、
前記爪にコーティングを分注するよう、アプリケータに命令を出す手順と、
前記アプリケータが前記爪にコーティングを分注している最中に、前記アプリケータに対して前記爪が移動すべきパスを特定する手順と、
を含む方法。
【発明の詳細な説明】
【技術分野】
【０００１】
本発明は、爪にコーティングを塗布する技術に関し、特に、爪にコーティングを塗布する電子装置の使用に関する。
【背景技術】
【０００２】
爪の装飾及び保護を目的として、爪にコーティングを施すことは伝統として確立されている。爪にコーティングを施す方法は多様であり、サロンで施すこともでき、自分で施すこともでき、予め形成されたカバーを爪に貼付することもできる。しかし、サロンに行く方法は不便かつコストが高くなる。同様に、自分で施すことは億劫になりがちであり、かつ内容によってはコストが高くつくにも関わらず、品質が悪いこともある。
【先行技術文献】
【特許文献】
【０００３】
【特許文献１】特開２０１２−０８５９４４号公報
【発明の概要】
【課題を解決するための手段】
【０００４】
本開示におけるシステムは、様々なセンサー及びモータを使用して、ユーザの指の爪を知的にコーティングすることができる。タッチセンシティブ表面部及びカメラは、爪の位置を検知するために使用され、アプリケータを爪の表面に正確に誘導し、爪にコーティングを施す。モータは爪に対応してアプリケータを動かせる。アプリケータにモータが接続されているかに関わらず、ユーザはアプリケータに対応して指の爪を動かすこともできる。このシステムは、特にタッチ面及びカメラを有する、一般的なスマートフォン、携帯通信機器、その他移動通信機器に適用可能である。本開示は、爪にコーティングを施すアプリケータを制御するためのシステム、方法及びコンピュータ読取可能な媒体に関する。
【０００５】
本開示の実施形態の態様及び利点は、以下の詳細な説明によって説明され、詳細な説明によって自明であり、または開示された原則に基づき習得され得る。本明細書に提供される実施形態の態様及び利点は、本発明の請求項において指摘された内容及び組み合わせによって認識及び取得可能である。これら及びその他の本開示の特徴は、以下の詳細な説明と請求項とを合わせて検討すれば、より理解されるであろう。
【図面の簡単な説明】
【０００６】
本開示で示される上述した利点及び特徴を説明するにあたり、上述した原理のさらなる詳細な説明が必要であり、特定の実施例と添付する図面を参照することによって説明する。下記の図面は本開示の実施形態を例示するものであり、本願の範囲の内容はこれに制限されず、説明される原理は添付の図面を用いて詳細に表す。
【図１Ａ】スマートフォンを使用した装置の実施例を図示する。
【図１Ｂ】様々な実施例で用いられる装置の例を図示する。
【図２】図１Ａ及び１Ｂに図示されたシステムのブロック図の例である。
【図３Ａ】様々な爪の測定を図示する。
【図３Ｂ】使用者の指及び爪の画像であり、爪の周辺がアウトライン化されている。
【図４Ａ】本発明における様々なモータアセンブリの例である。
【図４Ｂ】本発明における様々なモータアセンブリの例である。
【図４Ｃ】本発明における様々なモータアセンブリの例である。
【図５】３つのモータが実質的に垂直軸に沿って並んでいるモータアセンブリの実施例を示す。
【図６Ａ】様々なアプリケータ及びコーティング貯蔵部の実施例を示す。
【図６Ｂ】様々なアプリケータ及びコーティング貯蔵部の実施例を示す。
【図６Ｃ】様々なアプリケータ及びコーティング貯蔵部の実施例を示す。
【図６Ｄ】様々なアプリケータ及びコーティング貯蔵部の実施例を示す。
【図７】様々な実施例において使用されるインタラクションの例を図示する。
【図８】様々な実施例に従って開示されたタッチスクリーンディスプレイのレイアウトの一例である。
【図９Ａ】カメラの視野を反射するためにミラーアセンブリが用いられた装置の図である。
【図９Ｂ】カメラの視野を反射するためにミラーアセンブリが用いられた装置の図である。
【図１０Ａ】本発明の様々な実施形態を表す。
【図１０Ｂ】本発明の様々な実施形態を表す。
【図１０Ｃ】本発明の様々な実施形態を表す。
【図１１Ａ】スタンド及び位置保持部を使用した実施例である。
【図１１Ｂ】スタンド及び位置保持部を使用した実施例である。
【図１２Ａ】スタンドに窪みが形成されている実施例を示す。
【図１２Ｂ】スタンドに窪みが形成されている実施例を示す。
【図１２Ｃ】スタンドに窪みが形成されている実施例を示す。
【図１２Ｄ】スタンドに窪みが形成されている実施例を示す。
【図１２Ｅ】スタンドに窪みが形成されている実施例を示す。
【図１３Ａ】可搬型電子機器をスタンドに結合する技術を例示する。
【図１３Ｂ】可搬型電子機器をスタンドに結合する技術を例示する。
【図１３Ｃ】可搬型電子機器をスタンドに結合する技術を例示する。
【図１４】マスクを切り抜くことができる機械を図示している。
【図１５】本発明の様々な実施形態において適用可能なネットワーク環境の例である。
【図１６】爪の表面にコーティングを塗布する方法を図示する。
【図１７Ａ】カバーを有するシステムの図である。
【図１７Ｂ】カバーを有するシステムの図である。
【図１８Ａ】結合することによって保管時に装置を保護するために使用される例を示す。
【図１８Ｂ】結合することによって保管時に装置を保護するために使用される例を示す。
【図１８Ｃ】結合することによって保管時に装置を保護するために使用される例を示す。
【発明を実施するための形態】
【０００７】
以下、本明細書に開示されている様々な実施例を説明する。特定の実施例の実行について言及するものの、これらの実施は描写目的に限られると理解されるべきである。当業者であれば、本開示の範囲内において他の構成部及び構成要素を使用することができることは言うまでもない。
【０００８】
開示されている技術は、人の爪に効率的にコーティングを塗布する装置の必要性について言及する。
【０００９】
本明細書において、「ユーザ」は電子装置の使用者をいう。コンピュータソフトウェアの環境において、ユーザによって行われる行動は、コンピュータソフトウェアに内蔵されたステップを実施するために、ユーザが行う入力であると理解される。一事例では、ユーザは、特定の電子機器に関連する他のユーザアカウントと関連付けすることもできる。
【００１０】
本明細書において、用語「爪」は、指の爪及び／又は足の爪を指す。
【００１１】
本明細書において、用語「指」は、手の指又は足の指を指す。
【００１２】
本明細書において、用語「塗布（Paint）」、「装飾（Decorate）」、「塗布（apply）」、「印刷（Print）」は、コーティングまたは装飾を爪に貼付することをいう。
【００１３】
図１Ａは、可搬型電子機器１１３を含むネイルコーティングシステム１００の一例である。ネイルコーティングシステム１００は、モータ１０９を使用し、アプリケータアセンブリ１１７を動かすことができる。ネイルコーティングシステム１００の部分を結合して単一型にすることにより、「ネイルペイントロボット」としての形を持つ。アプリケータアセンブリ１１７は、イメージング装置（カメラ）１０６を使用した撮影時に、爪の表面を照明するためのＬＥＤ１０７を有してもよい。アセンブリには、抽出メカニズム１０４が取り付けられたコーティング貯蔵部１０５が配置されてもよい。ネイルコーティングシステム１００は、有線、無線、その他の接続に用いられるコミュニケーションインタフェース１０１を有してもよい。ネイルコーティングシステム１００は、ＬＥＤ１０２及びボタン１０３とのインタラクティブ性を有してもよい。電源１１０は、バッテリーなどの内部電源、コンセント等の外部電源、またはその両方によって供給されてよい。一実施例では、電源は可搬型電子機器１１３に接続されている。他の実施例では、電源１１０は充電可能である。
【００１４】
一実施例では、ネイルコーティングシステム１００は、本明細書で開示されている一部または全ての特徴を有するスタンドアロン装置である。例えば、ネイルコーティングシステム１００は、表示部と統合されたタッチ面１１２、外部接続、カメラ１０６、光源を有する。しかし、一般的な可搬型電子機器は、これらの特徴の多くを有することを理解するべきである。使用可能及び通常知られた可搬型電子機器の性能を使用できることは、ネイルコーティングシステム１００にとっても有用である。可搬型電子機器は、様々な方法によって、ネイルコーティングシステム１００の構成部に電気的に接続されていてよい。コミュニケーションインタフェース１０１への接続は、双方的又は一方的であってよく、NFC、RFID、Bluetooth（登録商標）、WiFi（登録商標）、赤外線、可視光またはデータ通信をするために用いられる物理的なケーブルを有する。接続された可搬型電子機器は、ネイルコーティングシステム１００の機能を拡張する。
【００１５】
可搬型電子機器１１３は、指１１４及び爪１１５の位置を検知し、アプリケータ１０８を所定の位置に適切に誘導するために使用されてもよい。可搬型電子機器１１３は、情報表示及びユーザからの入力を受けるための追加インターフェースとしての機能も有する。
【００１６】
可搬型電子機器１１３は、指１１４及び爪１１５の位置を検知し、アプリケータ１０８を所定の位置に適切に誘導すると共に、ネイルコーティングシステム１００の入力を受けるためのタッチセンシティブ表面部（タッチ面）１１２を有してもよい。タッチ面１１２は、ユーザの指の位置を検知するための、既知の様々なタッチスクリーン技術を使用している。タッチ面１１２は、他入力（「マルチタッチ」）または単一入力で構成されている。タッチ面１１２は、様々な方法によって圧及び力を検知する。タッチ面１１２は、ジェスチャー認識機能を有してもよい。
【００１７】
タッチ面１１２はディスプレイ（表示部）と統合されていてもよい。表示部には、ＬＥＤ、ＯＬＥＤ、ＬＣＤまたはその他の表示技術が使用されている。表示部はモノクロ又はカラーである。タッチ面１１２は透明であり、表示部と結合されることにより、既知のタッチ面が構成される。表示部は、ネイルコーティングシステム１００のインターフェースとして機能する。
【００１８】
図１Ａに図示されているクレードル１１１は、可搬型電子機器を保持するための機械的アーマチュアのシステムである。尚、言うまでもなく、可搬型電子機器１１３のスリップを防止する他の技術も使用できる。例えば、粘着性が弱い表面、シリコン、ゴムパッド、または装置の端部を保持するためのガイドを形成する端部を使用してもよい。一実施例では、クレードル１１１は可搬型電子機器１１３の一部と整列されていてもよく、これによって、ネイルコーティングシステム１００はタッチ面１１２とアプリケータ１０８との位置を対応させることができる。一実施例では、クレードル１１１は可搬型電子機器１１３の特徴の特定及び／又は測定をすることができる。これによって、ネイルコーティングシステム１００は、可搬型電子機器１１３のブランド及びモデルを推測することができる。可搬型電子機器１１３における対応位置に関するタッチ面１１２の情報を含むタッチ面１１２による測定と、ネイルコーティングシステム１００における可搬型電子機器１１３の対応位置の測定とを統合することにより、ネイルコーティングシステム１００は、アプリケータ１０８に対する爪の対応位置を特定することができる。
【００１９】
ネイルコーティングシステム１００は、コーティング時に撥ねた液から防護するために、タッチ面１１２の上部に配置される特別なカバー又はフィルム（図示しない）を有してもよい。カバー又はフィルムは、タッチ面１１２がユーザ入力を検知できる機能を維持するように設計されている。カバー又はフィルムは透明であってよく、タッチ面１１２に結合された表示部がカバー又はフィルムから可視できる。カバー又はフィルムには、タッチ面１１２とバインドするための粘着または静電気が使用されてよい。カバー又はフィルムには、タッチ面１１２への引っ掻き傷及び破損を防ぐための保護フィルムの形態が使用されていてもよい。
【００２０】
コーティング貯蔵部１０５は、リフィル可能または消耗品であってよい。ネイルコーティングシステム１００は、複数のコーティング貯蔵部が同時に保管可能であってよい。実施例によっては、コーティング貯蔵部１０５は留め金でスナップされてもよい。許可されることなく貯蔵部を使用する行為を防止するために、コーティング貯蔵部１０５には認証システムが備わっていてもよい。コーティング貯蔵部１０５は、ネイルコーティングシステム１００がコーティング貯蔵部１０５の使用を検知及び記録するための登録システムを有していてもよい。一実施例では、認証システム及び登録システムは同じ構成を使用している。認証／登録システムは、物理的システム（例えばロックの所有または特別なフィッティング）または電子的システム（暗号化されたＩＤまたはコード）によって達成される。実施例によっては、認証／登録を行うためのコーティング貯蔵部１０５は、ＱＲコード（登録商標）、バーコード、ＮＦＣ／ＲＦＩＤタグ等を有する。他の実施例では、コーティング貯蔵部１０５の購入が販売元で記録され、ネイルコーティングシステム１００と通信し、購入されたコーティング貯蔵部１０５を記録するための認証／登録を行う。
【００２１】
コーティングは、マニキュア、様々な種類のインク、色、素材であってよい。コーティングは、コーティング貯蔵部１０５に保管される。コーティングとは、「プレ印刷」、「ベースコート」、「トップコート」、ゲル及び／又はマットである。様々な効果を出すために、複数のコーティングが使用され得る。一実施例では、コーティングを手動で塗布するようにユーザに指示する。例えば、ネイルコーティングシステム１００が他のコーティングを塗布する前に、ネイルコーティングシステム１００がユーザにプレ印刷コーティングを手動で塗布するように指示してもよい。アプリケータ１０８は、新しいコーティングを作るために、コーティングの組み合わせを行ってもよい。これは、様々な色、デザイン、素材からなるコーティングを作る際に特に有用である。コーティングはマニキュア除光液であってもよい。コーティングは、爪にマニキュアが塗布された際に、硬い表面を形成する素材であってもよい。素材は、３Ｄ印刷で使用されるような、プラスチック、樹脂又はセラミックであってよい。
【００２２】
一実施例では、抽出メカニズム１０４は、コーティング貯蔵部１０５に圧を加えるピストン、レバー又は回転カムである。
【００２３】
アプリケータ１０８は、爪１１５にコーティングを塗布するために使用される。アプリケータ１０８は様々な塗布効果を有する。例えば、アプリケータは爪全体にコーティングを一度で塗布してもよく、又は爪の面積の一部、細い線、小さな点を施すものであってもよい。塗布部は、アプリケータの位置に応じて、コーティングを塗布できる面積である。アプリケータ１０８が一度で爪全体にコーティングを塗布しない場合、アプリケータ１０８において対応する爪１１５の位置を進行的に動かし、アプリケータ１０８が爪の所望の位置にコーティングを塗布できるように調節する。例えば、アプリケータ１０８が一度でコーティングを線状に塗布する場合、爪を動かし、所望の位置にコーティングを塗布してもよい。コーティングが十分に分注されるように、アプリケータは制御部からの命令を受けることができる。
【００２４】
図１Ａで示されるように、アプリケータ１０８は、ブラシであってよい。ブラシは、硬質毛、泡状、フェルト状であってよい。代替して、アプリケータ１０８はインクジェットのヘッド部等、コーティングを噴射または分注するノズルを有してもよい。アプリケータ１０８は、使用回数が限定される消耗品であってもよい。アプリケータ１０８は取替または変更が容易であってよい。コーティング貯蔵部１０５は、アプリケータ１０８の外部に取り付けられ、または結合されている。
【００２５】
アプリケータ１０８は固定されており、またはモータアセンブリ１０９によって移動可能であってよい。モータアセンブリ１０９は、アプリケータ１０８を爪の表面に沿って直線方向に動かす、少なくとも１つのモータを有する。代替して、モータアセンブリ１０９は、図１の符号１１６に示される通り、アプリケータ１０８の移動方向を変えるためのモータを少なくとも１つ有する。上下方向又は左右方向に移動するモータの組み合わせによって、正確かつ効率的に爪の表面をカバーする。追加して、モータアセンブリ１０９は、カメラ１０６、アプリケータ１０８、コーティング貯蔵部１０５、光源１０７、またはこれらの組み合わせを動かすこともできる。
【００２６】
実施例によっては、アプリケータ１０８は、爪にシール、プラスチックカバー、宝玉、その他の飾りつけを装着できる。他の実施例では、上記の飾りつけは、例えばネイルコーティングシステム１００がシールを印刷する等、ネイルコーティングシステム１００の内部で製造しても良い。または、ネイルコーティングシステム１００がラインストーンのカートリッジを受け取る等、ネイルコーティングシステム１００の外部で製造してもよい。一実施例では、アプリケータ１０８は、爪に付着するシールにコーティングを施してもよく、または、アプリケータ１０８が非吸着面にコーティングを塗布し、爪にプレスする等でもよい。
【００２７】
一実施例では、装置はカメラ１０６を備える。カメラ１０６は、爪のイメージを生成する機能を有する装置である。例えばカメラ１０６は、グレースケール、カラー、紫外線などである。カメラ１０６は、高画質または低画質（１メガピクセル以下）のいずれでもよい。高画質カメラは分析の正確性を高める一方、低画質カメラは画質の要求及びコスト低下を可能としつつ、処理速度を高めることが可能となる。カメラ１０６はシーケンス画像を生成することも、単一の静止画像を生成することもできる。カメラは、固定した収束範囲または可変的な収束範囲を有する。可変的な収束範囲を有する場合、収束範囲はプログラム又は手動で制御される。同様に、カメラ１０６の視野は、固定または可変的であってよく、プログラム又は手動で制御される。一実施例では、カメラ１０６の方向及び位置を調節するために、モータが用いられる。これらのモータは、カメラ１０６に特定したものである。代替して、カメラ１０６がアプリケータアセンブリ１１７に固定された場合、モータアセンブリ１０９が移動方向を変える機能を提供できる。一実施例では、カメラ１０６は、画像と共に深さデータを記録するように構成されている。すなわち、カメラ１０６は、指１１４の三次元イメージを生成するように構成されている。
【００２８】
一実施形態では、カメラ１０６の機能を助けるために、光源１０７が用いられる。光源１０７は、当業者に知られているものであればよい。光源１０７は、生成される画像のコントラストを向上させるために、カメラ１０６から離れて配置することができる。画像のコントラストが高いと、端部検知アルゴリズムの性能を高める。離れて配置された複数の光源１０７を同時または順次使用することもできる。光は指の凹凸から生じる影を生成するため、画像生成技術は異なる光源１０７に対応する複数の画像を使用し、３Ｄモデルを近似する。
【００２９】
一実施例では、ネイルコーティングシステム１００は、コーティングの乾燥を早めるためのドライヤー機構（図示しない）を有する。ドライヤーは、爪にＵＶランプ、その他の放射状熱源、及び／又はファンを直接当てるものである。ＵＶランプは、必要なコーティングを「硬化」する。ドライヤー機構は、カメラ１０６をアシストするために使用される光源１０７と同様の機構である。乾燥機構は、ネイルコーティングシステム１００から分離されていてもよい。
【００３０】
一実施例では、ネイルコーティングシステム１００は、ネイルコーティングのセッションを放送する仕組みを有する。放送には、可搬型電子機器１１３のビデオスクリーンキャプチャ、カメラ１０６からのオーディオおよび画像が含まれる。可搬型電子機器１１３に音源が備えられていてもよく、またはネイルコーティングシステム１００の他の場所に配置されていてもよい。上記構成によって、ネイルコーティングシステム１００は、遠隔接続されたユーザとのバーチャル及びライブの「ネイルパーティー」を行うことを可能とする。ネイルコーティングシステム１００は、ビデオカンファレンス技術によって、遠隔接続されたユーザとのオーディオ及び／又はビデオ出力が可能となる。
【００３１】
一実施例では、ネイルコーティングシステム１００はユーザに対し、アイテムを購入するオプションを与える。例えば、ネイルコーティングシステム１００は、構成部品の変更が必要であることを検知した場合、またはアップデートされた構成部品がある場合、ユーザに対して、アプリケータ１０８、コーティング貯蔵部１０５、モータアセンブリ１０９、電源１１０、クレードル１１１の購入を推奨する。購入は、金銭（ビットコイン（登録商標）等の仮想通貨を含む）、ポイント（後述する）またはこれらの組み合わせで行われる。購入するアイテムは、例えば著名な映画または音楽家のブランドなど、ブランド品であってもよい。一実施例では、ユーザには、例えば３Ｄプリンターを使用して、カスタムパーツを製造する命令が与えられる。ネイルコーティングシステム１００とは関係の無いアイテム、例えばシール、カード、シャツ、マグカップ、携帯電話ケース、ヘッドバンド、ズボン、靴、歯ブラシ、ヘアドライヤー、セーター、装飾品、運動着等も購入可能である。
【００３２】
図１Ｂに図示される通り、一実施例では、可搬型電子機器１１３がネイルコーティングシステム１００に物理的に付随していない状態でも起動する。この実施例においては、クレードル１１１が不要である。一実施例では、モータアセンブリ１０９に３つのモータを使用する。モータアセンブリ１０９の構成は、図４Ａ、４Ｂ、４Ｃに図示されている。
【００３３】
図２は、図１Ａ及び図１Ｂに表示されたシステムのブロック図である。システム２２８の各実施例は、少なくとも、ソフトウェアのアプリケーションを実行して構成要素に命令を送信するプロセッサ２３６と、爪にインク、マニキュア又はその他の材料を塗布するアプリケータ２４２とを有する。その他のシステム構成要素は、各実施形態に応じて、システム構成に含まれていても、いなくてもよい。
【００３４】
一実施例では、システム２２８は、スマートフォンやメディアプレイヤー等、タッチセンシティブ表示部２３３とカメラ２３０とを有する装置といった、スマートデバイス２３２のハードウェアを使用してもよい。一実施例では、スマートデバイス２３２は指の位置と境界とを検知するために使用され、タッチセンシティブ表示部２３３を使用して爪の位置を覚えるアプリケーションを使用し、スマートデバイスに統合されたカメラ又はその他のイメージ検知システムを使用して画像を検知する。プロセッサ２３６は、有線又は無線接続で、スマートデバイス２３２と通信可能である。システム２２８は、ディスプレイ、通信等に限定されず、スマートデバイスの他の全ての機能を使用できる。
【００３５】
一実施例では、システム２２８はスマートデバイスとは別に、カメラ２３１、タッチセンシティブ表面部２３３又はディスプレイ２３５のいずれか１つ又は複数を有してもよい。これらの実施例において、スマートデバイス２３２は、カメラ、タッチセンシティブ表示部、ディスプレイのうちの１以上の機能を活用することも可能である。
【００３６】
一実施例において、システム２２８は、プロセッサ２３６と一方通行（開ループ）又は双方通行（閉ループ）で接続された乾燥ユニット２３４を有する。
【００３７】
一実施例では、システム２２８はモータ２４０及びモータ駆動部２３８を含む。これらのモータは、アプリケータシステムを様々な方向（ＸＹＺ又はこれらの組み合わせ、シングルセット）に移動させることができる。モータ駆動部２３８とプロセッサ２３６との通信は、開ループ又は閉ループである。モータ駆動部２３８からモータ２４０への通信は、開ループ又は閉ループである。
【００３８】
一実施例では、システム２２８はスタンドアロン型である。システムは、ディスプレイ２３５に表示されたユーザインタフェースと、１以上のカメラ２３１と、照明システム（ＬＥＤ、レーザー、ＩＲ等、図示しない）からなる。一実施例では、プロセッサ２３６はスマートデバイス２３０と通信してコマンドを管理する。
【００３９】
一実施例では、アプリケータ２４２は、インクジェット印刷用のＡＳＩＣを含む。プロセッサ２３６はアプリケータ２４２と通信し、ノズルから物質、インク、塗料を排出する。
【００４０】
一実施例では、アプリケータ２４２はモータ駆動部と、１又は複数のカムを「ポップ」又はカートリッジに押し付けるように移動する１又は複数のモータと、を有し、押し付けることにより、通常の孔、ブラシ、発泡型先端等のノズルから物質、インク、マニキュア等を分注する。
【００４１】
一実施例では、アプリケータ２４２はモータ駆動部と、１以上のモータ又はソレノイドとを有する。モータ又はソレノイドは、ノズル又は先端部から、貯蔵部に保管された物質をポンプする。モータ又はソレノイドは、ノズル又は先端等を通って物質を押し出すにあたり、圧縮空気を使用する。
【００４２】
図３Ａは、指及び爪を表すために使用される測定を図示したものである。指は横幅３０１からなり、爪は横幅３０２と縦幅３０３とを有する。図３Ｂは、指の画像に重ね合わせて表示される爪３０４の外枠の例を示している。爪３０４の外枠は、ネイルコーティングシステム１００が、カメラで撮影された爪の画像を分析することによって特定される。一実施例では、この分析は端部検知アルゴリズムによって実行される。他の実施例では、ユーザがネイルコーティングシステム１００の画像又は外枠３０４を調節する。他の実施例では、ユーザが指を動かして、指と外枠３０４との位置を合わせる。
【００４３】
典型的には、ユーザがタッチ面１１２に指を配置すると、タッチ面は接触面の爪中心３０５を特定する。爪中心３０５の位置は指ごとに異なるため、ネイルコーティングシステム１００は、爪の対応箇所に応じた爪中心の特定の精度を高めることが可能となる。爪中心３０５の位置が特定されると、ネイルコーティングシステム１００は、タッチ面１１２の情報をもとに、爪の位置を予測する。
【００４４】
図４Ａは、モータアセンブリ１０９の一部を図示したものである。モータアセンブリ１０９の最大の目的は、らせん状のシャフト４０１を回転させることにより、アプリケータアセンブリ１１７をＸ、Ｙ、Ｚ方向に動かすことである。図４Ｂは、図４Ａの分解図である。モータアセンブリ１１７は、らせん状シャフト４０１の孔部を有する２つの屈曲部４０２を有する。らせん状シャフト４０１及び屈曲部４０２が接続されると、プレート部４０２はジンバルに支持されたらせん状ナット４０３との囲いを構成する。ナット４０３は一般的には球状であり、２つのプレート部４０２の切り抜き部に配置される。ナット４０３には、回転を防止するためのノッチが形成されていてもよい。このように構成されることにより、らせん状のシャフト４０１は、アプリケータアセンブリ１１７のＸ軸、Ｙ軸、Ｚ軸方向への動きを可能とする。図４Ｃは図４Ａの断面図であり、らせん状のシャフト４０１がＰＣＢ４０５に結合されたステッピングモータ４０４に接続されている。らせん状のシャフト４０１は、ステッピングモータに接続されていてもよい。ステッピングモータ４０４は、ねじ軸４０２を回転させ、関連するらせん状のナット４０３をモータ４０４の方向又は逆方向に動かす。アプリケータアセンブリ１１７は、プレート４０２に結合される。ステッピングモータ４０４が図示されていても、様々な種類のモータ又はアクチュエータが同様の機能を有する。
【００４５】
図５は、モータアセンブリ１０９の構造の例示である。一実施例では、図示されている通り、対応するねじ軸を有する各モータは、異なる軸に沿って方向づけられる。この形態では、第１モータ５０１及びシャフトは、ＰＣＢまたはハウジング４０５に取り付けられる。第２モータ５０２を第１モータのシャフトに取り付けることにより、第１モータ５０１は、第１モータのシャフトに沿って第２モータ５０２を駆動することができる。同様に、第３モータ５０３を第２モータ５０２のシャフトに取り付けることにより、第２モータ５０２シャフトに沿って第３モータを動かすことができる。アプリケータアセンブリ１１７を第３モータ５０３に取り付け、同様に動かすこともできる。
【００４６】
アプリケータ１０８は、図６Ａ、６Ｂ、６Ｃ、６Ｄに例示されたコーティング貯蔵部１０５に統合されてもよい。チューブ６０５の先端には、様々な先端部６０１を取り付けることができる。先端部６０１の形状は多様であってよく、例えば図６Ｂは球状先端部６０１を図示しており、図６Ｃは円錐状の先端部を図示している。先端部６０１の素材は、泡状、フェルト、プラスチック等である。一実施例では、先端は浸透性であり、コーティングが素材を通過するように形成されている。代わりに、先端部６０１は非浸透性であるが、コーティングが通過できる口径を有する。一実施例では、アプリケータ１０８は、キャンプ６０２及び／又は先端部６０１として、糸状の先端部６０４が形成されている。様々な先端部６０１を使用することにより、デザイン描写を促進させ、例えば水玉模様には球状の細い先端を使用し、フレンチマニキュアには斜め形成された先端を使用できる。キャップ６０２はコーティング貯蔵部１０５を密封するために使用し、コーティングの乾燥、漏れまたは汚染を防止する。
【００４７】
一実施例では、使用していない間、キャップ６０２をアプリケータ１０８に配置し、コーティングの乾燥を防止することができる。これは、ユーザの命令有無に関係なく実行可能である。また、キャップ６０２が図示されているものの、蓋、粘着テープ、ねじ（開口部を閉じる）、ファスナー機能等、先端部６０１を閉じるための様々な方法または装置の使用が可能であることは自明である。
【００４８】
着脱自在シール６０３は、コーティング貯蔵部１０５を封止し、移動時におけるコーティングの漏れ及び乾燥を防止する。ユーザが製品を使用する際、着脱自在シール６０３を取り外すことにより、コーティング貯蔵部１０５からアプリケータ１０８へのコーティングの流れを可能とする。
【００４９】
一実施例では、貯蔵部はフレキシブルなポーチ型であり、抽出メカニズム１０４からの圧によってコーティングが放出される。他の実施例では、コーティング貯蔵部１０５は一般的に硬く、スライド式の側面からコーティング貯蔵部１０５の容積を減らすことができる。
【００５０】
図７はユーザがタッチ面１１２の表面で指を直線方向７０１に沿って動かす状態を支援している。一実施例では、図示の通り、固定されたアプリケータアセンブリ１１７が使用される。前述の通り、アプリケータ１０８は爪を全体的にカバーしない場合、指を動かして爪全体をカバーする必要がある。アプリケータアセンブリ１１７が固定されていると、指を直線方向７０１に沿って動かし、爪全体をカバーする。一実施例では、ネイルコーティングシステム１００は、コーティングを爪に付着させる命令を出してから、コーティングが爪の表面に到達までの間の遅れを特定することができる。この遅れの情報と指の位置情報、動き方向、スピードとを組み合わせることにより、システムはコーティングを塗布する命令を出す適切な時間を特定し、コーティングが爪の適切な場所に塗布されるようにアレンジする。アプリケータアセンブリ１１７は、可搬型電子機器１１３に接続されてもよい。可搬型電子機器１１３は、Ｘ−Ｙ（７０３、７０４）面に沿って回転する統合ディスプレイ１１２を含むタッチ面１１２を有する。アプリケータアセンブリ１１７は、Ｚ軸７０２の方向に沿って、タッチ面１１２の上部に配置されてよい。
【００５１】
一実施例では、ユーザは、Ｘ軸に沿って、タッチ面１１２の上部で、指を第１ポジション７０５から第２ポジション７０６に動かし、アプリケータアセンブリ１１７の下に指を動かす。タッチ面１１２は、動いている指の位置を検知し、爪がタッチ面１１２の適切な位置に置かれたときに、コーティングを分注するよう、アプリケータアセンブリ１１７に指示を出す。タッチ面１１２は、アプリケータ１０８の下に配置された爪の位置を検知し、アプリケータ１０８は爪の所定位置にコーティングを適切に分注する。タッチ面１１２は特定のコーティングに対する正確な位置を出さないこともあるため、カメラ１０６を使用し、爪の対応する位置を特定できる。
【００５２】
直線方向７０１に沿った移動に代わり、表示部はユーザに対し、非直線（フライトパス）７０７に沿って指を動かすように指示することもできる。非直線移動によって、特徴的なデザインを作ることもできる。一実施例では、ユーザの指の動きが爪のコーティングを効率的に実施できるようになるまで、特定のフライトパスを複数回練習するように、ユーザに促すことができる。位置情報に加えて、フライトパスには速度情報を含めてもよい。例えば、フライトパスは指を位置Ａから位置Ｂに向けてゆっくりと動かし、位置Cに向けて早く動かすように指示をする。ネイルコーティングシステム１００は、カスタム化されたフライトパスを記録および保存できる。ネイルコーティングシステム１００は、カスタム化されたフライトパスのシェア及びダウンロードを促進する。フライトパスは、オーディオ、ビジュアル、動き、その他の知覚によってユーザをガイドする。フライトパスは、第三者のアプリケーションでもダウンロード可能である。
【００５３】
図８は、タッチ面１１２と内蔵ディスプレイとが組み合わせられた実施例である。コンピュータ視覚技術は、グリッド表示部８０１の使用によって補完されてもよい。この実施例では、表示部にグリッド表示部８０１を表示することにより、指のコントラストを示す。グリッド表示部８０１は段階的、パターン、単色または同様の性質を持つビデオであってよい。
【００５４】
表示部のユーザ画面８０２では、ユーザに情報を示す。表示部はカメラ１０６からの画像を表示してもよい。画像は、爪８０３から検知された外枠を表示してもよい。画像は、ユーザが指を置く場所の重ね合わせ部を表示してもよい。重ね合わせ部は、指または十字線の外枠である。画像は、爪８０４に塗布されるコーティングまたはデザインのレンダリングまたはプレビュー画像を表示する。これによって、実際に爪にデザインを施す前に、ユーザは様々なデザイン及び色を「トライ」することができる。
【００５５】
一実施例では、表示部の一部は、爪にコーティングを塗布する間、ユーザを楽しませるコンテンツを表示する。
【００５６】
図９Ａ及び９Ｂは、移動機器のカメラ１０６の視界９０４を反射するミラーアセンブリ９０２が、可搬型電子機器９０１の表面を映した状態を示す。ミラーアセンブリ９０２は可搬型電子機器９０１と組み合わせて使用することにより、装置のタッチ面からの光を装置の表側に配置されたカメラ１０６に反射する。点線は、カメラ１０６の視界９０４を表す。ミラーアセンブリ９０２を使用することにより、カメラ１０６は、装置のタッチ面に配置された指１１４の画像を映すことが可能となる。ミラーアセンブリは、１つまたは複数のミラー９０３を有していてよい。ミラーアセンブリ９０２が有する少なくとも１つのレンズは、カメラ１０６の所望の画像を映すために使用される。アセンブリのエレメンツを調整するために、マニュアルまたはプログラムされた制御機能を使用できる。一実施例では、ミラーアセンブリ９０２はアプリケータアセンブリ１１７との組み合わせで使用される。
【００５７】
図１０Ａは実施例１０００を図示しており、アプリケータ１０８の下に配置されたユーザの指を保持するために、クレードル１００１を使用している。これは、他の実施例で図示された、タッチ面１１２の代替例である。クレードルは、指の存在を検知するためのセンサーを有してもよい。指が所定の位置にある場合、アプリケータ１０８はコーティングを爪の表面に塗布する。
【００５８】
図１０Ｂは、アプリケータ１０８を爪に対して動かす際に使用される様々な技術の組み合わせを例示した。一実施例では、アーマチュア１００８には、指を配置するための凹部１００７が形成されたダイヤル１００２を有する。アーマチュア１００８の端部には、アプリケータアセンブリ１００９が取り付けられている。アプリケータ１０８は、Ｙ軸１００５に沿って直線方向に動かすことにより、アプリケータ１０８の距離を、爪の表面の上部に配置することができる。一実施例では、Ｙ軸１００５は手動で調節可能である。代替し、モータがＹ軸１００５を調節することも可能である。アプリケータ１０８は、Ｚ軸１００４に対応して軸１００６方向に回転させることもできる。アーマチュア１００３は、軸１００３に対応して、ダイヤルに沿って回転させることもできる。
【００５９】
図１０Ｃは、図１０Ａの実施例と同様の例であり、指を所定位置に配置するクレードル１００１が使用されている。一実施例では、アプリケータアセンブリ１１７は、トラック１０１０に沿って左右に移動する。この実施形態では、タッチ面がシステムのガイドに使用されていない場合であっても、可搬型電子機器１１３によってユーザに情報を表示する。この実施形態において、可搬型電子機器１１３は、縦置き（図示の通り）または横置きであってよい。
【００６０】
図１１Ａ及び１１Ｂは、スタンド１１０１及び位置保持部１１０２を使用した実施例である。図示の通り、指は可搬型電子機器１１３のカメラの視界の範囲に配置すればよい。
【００６１】
図１２Ａ、１２Ｂ、１２Ｃ、１２Ｄ、１２Ｅは、位置保持部がディスク１２０１で構成され、指に合わせた窪みが形成されていることを除いて、図１１Ａ、１１Ｂと同様の構成である。図１２Ａは、可搬型電子機器１１３の下部に配置され、クレードル１１１によって基部１１０１に結合された、ディスク１２０１を表す。このように配置されていることにより、ディスク１２０１は可搬型電子機器１１３のカメラの視界の範囲であり、可搬型電子機器１１３はアプリケータアセンブリ１１７の下に配置されている。一実施例では、ディスク１２０は回転可能である。例えば、図１２Ｂでは使用者の手が一か所に固定されているのに対し、図１２Ｃでは手が異なる場所に移動されている。ディスク１２０１は静止していてもよい。指が可搬型電子機器１１３のカメラの視界に入るにつれて、カメラは画像分析技術で使用できるイメージ及び描写されているビジュアルを撮影する。図１２Ａ、１２Ｂ、１２Ｃでは、ディスク１２０１が基部１１０１に対して平行であるのに対し、図１２Ｄ、１２Ｅに図示されるように、ディスク１２０１が基部１１０１に接続され、可搬型電子機器に対して平行であってもよい。
【００６２】
図１３Ａ、１３Ｂ、１３Ｃは、可搬型電子機器１１３をスタンド１１０１に結合する技術を例示する。様々な実施例で図示されているクレードル１１１は、この技術で統合することができる。可搬型電子機器１１３は、取り付け部１３０１に形成されたフィッティング１３０２にスナップ１３０５を挿入することにより、ケース１３０３によって接続ポスト１３０２に接続される。一実施例では、ケース１３０３は半透明であり、可搬型電子機器１１３の保護またはデコレーションされた特徴を与える。
【００６３】
図１４は、爪またはデザインの外側にコーティングが塗布される事態を防ぐことができるマスク１４０５を切り抜くことができる機械を図示している。マスク１４０５は、爪の形又はデザインを形成するために使用される。一実施例では、供給リール１４０１から供給されるテープ１４０４は、カッター１４０３の方向に移動し、所望の形及び大きさにマスク１４０５を切り抜き、支持部１４０６、１４０７に移動し、アプリケータ１０８の下を通り抜けて、受取リール１４０２に移動する。一実施例では、カッター１４０３にはモータが取り付けられ、テープ１４０４に対して垂直方向に移動する。一実施例では、図１４に表された通り、マスクはテープ１４０４に接続されたままである。代わりに、マスクを個別に取り除き、指に貼付してもよい。一実施例では、マスク１４０５は皮膚または爪の表面に張り付けるための粘着剤を使用する。マスク１４０５は、爪のユニークな輪郭にフィットする。爪に無造作にフィットするように、マスク１４０５が限られた数のパラメータに切り抜き可能であってもよい。例えば、貼り付けられる爪の長さ３０３及び幅３０２の形状に合わせて、マスクを切り抜いてもよい。マスク１４０５は、巻き付けられた帯状のテープ１４０４から切り抜きされてもよい。マスク１４０５は指の上から貼付されてもよく、または機械的に貼付されてもよく、またはユーザ自身がマスク１４０５を貼付してもよい。一実施例では、マスク１４０５はプレカットされるため、カッター１４０３が不要となる。
【００６４】
図１５はインターネット１５０４を使用した場合における装置の相互接続性を示すシステムマップである。図にはインターネット１５０４が表されているものの、装置を接続する方法として知られている全ての媒体または形態が使用可能である。本実施例のシステムは、ネイルコーティング装置１５０８、携帯電話１５０７、タブレットコンピュータ１５０１、デスクトップコンピュータ１５０２、ノートパソコン１５０３、データ１５０５を含むサーバ１５０６を有する。本実施例のネイルコーティングシステム１００は、ネイルコーティング装置１５０８及び携帯電話１５０７を有する。ネイルコーティング装置１５０８は、インターネット１５０４または携帯電話１５０７によってサーバ１５０６に接続してもよく、またはサーバ１５０６に接続していなくてもよい。
【００６５】
一実施形態では、サーバ１５０６はソーシャルネットワーク又はプラットフォームのホストであり、ユーザはネイルデザインを共有又はダウンロードすることができる。ユーザはネイルコーティングの処方をシェアすることができ、処方には様々なコーティングを結合及び順番付けする命令が含まれる。処方には、コーティング間の遅延やコーティングの硬化に必要な時間を示すタイミング情報も含む。カメラ１０６は、コーティングされたネイル画像を撮影するために使用され、処方と共に、サーバ１５０６にアップロードされる。このプラットフォームは、ユーザがネイルコーティングシステム１００からコンテンツをシェアするために使用できる。サーバ１５０６は、ユーザがシェア及び共同して使用するためのソーシャル・ネットワーク・プラットフォームの一部である。ユーザはプラットフォームにアクセスし、デザイン及び処方を売買できる。一実施例では、ＡＰＩを通して、第三者がネイルコーティングシステム１００に接続することもできる。サーバ１５０６は、ネイルコーティングシステム１００に指示を送信することもできる。
【００６６】
一実施形態では、カメラ１０６がネイル画像を撮影する。その後、ネイルコーティングシステム１００は、同じ色及び／又はデザインを、ユーザの他のネイルに複製する。システムはユーザに対し、１つのネイルを手動でマニキュアするように促し、ネイルコーティングシステム１００を使用して他のネイルに同じ色及び／又はデザインを施す。
【００６７】
一実施形態では、プラットフォームはサーバ１５０６にホストされてもよい。一実施形態では、プラットフォームは可搬型電子機器１１３において、ローカルで稼働してもよい。可搬型電子機器１１３はアプリケーションをダウンロードし、アプリケーションへの登録に必要な連絡情報を入力するよう、ユーザに促す。サーバ１５０６は、本実施例で開示されているアバター、イメージ、移動スクリーン、デザイン、パターン、ロゴ、アニメーション、テキスト、フォント、その他本実施例で開示されている機能を管理するためのデータベース１５０５を有してもよい。
【００６８】
一実施例では、ギャラリーは、図示されるオブジェクト、文字通りの解釈、図示される第２オブジェクト、用いられる言葉、アート、アートの所有者、またはアートの起源に関連するフィーリングやフレーズ等、様々な特徴に基づいてカテゴリー化される。
【００６９】
一実施形態では、サーバ１５０６はユーザが使用したアートのランク付けをすることができる。プラットフォームは、スワイプ、タップ、クリック、ジグザグ等のジェスチャーによって、ランキングの許容、無関心、非許容、及び／又はランキングの段階を読み取る。
【００７０】
プラットフォームはその内部において、ユーザ間または第三者のネットワークとの間でアート、アートの一部、及び／又はアートギャラリーをシェアすることを可能とする。プラットフォームは、ポスト、ツイート、ピン、ブログその他プラットフォームのコンテンツをシェアするためのカテゴリー、タグ及び分類を推奨することもできる。
【００７１】
プラットフォームでは、ユーザがアートを変形及び／又は結合することもできる。一実施形態では、ユーザには、ユーザの装置、プラットフォーム、第三者のプラットフォーム、ネイルコーティングシステム１００を含めた、様々なソースからのアートギャラリーが与えられる。例えば、ギャラリーにはユーザの可搬型電子機器１１３から選択された写真が含まれてもよい。プラットフォームは、デザインの切り取り、輝度調整、色／デザイン／文字／画像の追加、デザインの回転、縮小、２Ｄ及び３Ｄアニメーションの追加をすることができるように構成されてもよい。プラットフォームでは複数のアイテムを組み合わせ、新しいデザインを創作することもできる。一実施例では、プラットフォームは画像を分解し、ジグソーパズルの形状にすることもできる。プラットフォームはユーザに対し、創作時において、画像の下書きを投稿し、他のユーザからのランキング、投票、調査等を受け取ることも可能である。
【００７２】
プラットフォームでは、複数のユーザ間での共同創作を促進してもよい。この共同創作は、同時創作又は非同期的であってよい。
【００７３】
画像が著作権を侵害するものである場合、プラットフォームは、ギャラリーに保存される前、保存中、保存後に検知できる。プラットフォームは、ライセンスされていないブランド及びパートナーロゴを検知できる。
【００７４】
プラットフォームは、ユーザが創作、編集、アップロード、混合したアートをカテゴリー化して分類する。プラットフォームは、アートに図示されるオブジェクト、文字通りの解釈、図示される第２オブジェクト、用いられる言葉、アート、アートの所有者、またはアートの起源に関連するフィーリングやフレーズ、画家の著名度及び／又は類似するアートに含まれるデータを記録することができる。
【００７５】
プラットフォームは第三者のアプリケーション及び可搬型電子機器１１３のカメラロールから、画像、フレンズ、ロゴ、好み、又はタグをインポートすることができる。プラットフォームはアートをクラウドに、アプリケーションの内部、可搬型電子機器１１３、またはネイルコーティングシステム１００に保管することができる。
【００７６】
プラットフォームは、ユーザにフィードバック、コメント、アプリ又は印刷の機能を助けるオプションをユーザに与える。このオプションは、スクリーンに表示されるボタン、音、形、ロゴ、イメージ、アイコンである。フィードバックはプラットフォームを通して、及び／または他のアプリホストにおいて共有することも可能である。
【００７７】
プラットフォームには、ユーザのプロフィールが保管される。プロフィールには、ユーザの年齢、人種、居住地、興味のある携帯、興味のあるカルチャー、興味のあるアート及び／または興味のあるファッションが含まれてもよい。このプロフィールには、写真、アバター、アート、スクリーンの移動、音、３Ｄアニメーション及び／または提供可能なメディアが含まれても良い。このプラットフォームでは、ユーザにプロフィールのデータをアップロードし、又は事前構成されたアート、アバターを選択することができる。
【００７８】
ユーザプロフィールには、各ユーザの使用情報を含めてもよい。使用情報には、色／アートの好み、プラットフォーム使用時のメディア消費、ネイルコーティングシステム１００と共に使用したコーティング貯蔵部１０５の使用ログ、その他ユーザの好み又は特徴を示す全てのデータを含めてよい。プラットフォームはユーザプロフィールに含まれる情報を使用し、ユーザに推奨またはターゲットとなる広告を提供する。この機能は、特にネイルコーティングシステム１００に関連する広告、販売及び消耗品の使用において有用である。例えば、プラットフォームはユーザの購入傾向を追跡し、コーティングが無くなる前にコーティング貯蔵部の代替品の購入をタイムリーに推奨する。
【００７９】
プラットフォームは各ユーザの「ポイント」を管理するデータベースを管理する。このポイントは価値を有する。プラットフォームは、様々なイベントに基づき、ユーザのポイントを増加または減少させる。例えば、プラットフォームは、アートのアップロード、結合、シェアをしたユーザにポイントを与え、ユーザがアップロードした画像が不認容、著作権違反または不適切である場合にはペナルティとしてポイントを減少する。ポイントはユーザから隠れていてもよく、または一般に開示されていてもよい。ポイントは第三者のプラットフォームで行われた活動に対しても付与／減少される。プラットフォームはユーザ間のポイント交換を促進する。ユーザはポイントを使用し、アートギャラリーのストリーム、ダウンロード、プリントを購入する。このプラットフォームは、独自に複数のポイントカテゴリーを管理する。例えば、プラットフォーム上での交流、コミュニティ参加、商品の購入に対し、ポイントが付与される。ユーザは独自のアカウントにおいて、プラットフォーム上での交流、コミュニティ参加、商品の購入のポイントを管理できる。
【００８０】
プラットフォームでは、複数のユーザと交流し、「ネイルパーティー」を開催し、ユーザ間でスクリーン画像並びに装置のオーディオ及びビデオ画像を共有することができる。一実施形態では、ユーザがセッションのホスト役をし、他のユーザがホストに接続してスクリーンを閲覧し、音及びビデオを受け取る。プラットフォームでは、予定されているネイルパーティー及び招待されているゲストを管理できる。ネイルパーティーにはテーマを設けてもよい。プラットフォームは、参加したネイルパーティーのレベルに合わせて、ホスト及びゲストにポイントを分配してもよい。ホストは特定少数又は不特定多数のユーザに対し、ライブセッションのストリームをしてもよい。
【００８１】
プラットフォームは、第三者のアプリケーションがプラットフォームの一部又は全ての機能に接続できるＡＰＩを有することもできる。
【００８２】
一実施例では、プラットフォームは存在するネイルサロンに接続されている。一実施例では、プラットフォームは、ユーザの好みに合わせて、補助的ケアを推奨することができる。例えば、ネイルコーティングシステム１００を使用したコーティングを複数回行った後、プラットフォームはプロフェッショナルケアが必要なネイルを特定することができ、またはプラットフォームは、ファイリング、カット、キューティクルを押すことができるサロンを提案する。一実施例では、ユーザプロフィールにて、サロンが消費者に提供したサービス（フレンチマニキュア等）を記録し、プラットフォームがシステムを使用したホームメンテナンスの予定を推奨する。一実施例では、プラットフォームはブッキング、スケジュール、広告等を行うために、ネイルサロンの第三者システムに接続する。
【００８３】
本明細書で開示されている登録システムは、ネイルコーティングシステム１００のうち、アプリケータ１０８、カメラ１０６、モータアセンブリ１０９等、各部分の使用のトラック及び記録に使用することができる。アイテムを登録する際、システムはアイテムの購入場所、購入時間及び出所を特定できる。このような情報は、ターゲットとなる広告に使用される。代わりに、このような情報は外部サーバに送信されることにより、サーバがユーザの使用傾向を覚えることができる。
【００８４】
図１６は爪の表面にコーティングを塗布する方法を示す。ステップ１６０１では、初期化後、ソフトウェアは爪に塗布するデザインを受け取る。ステップ１６０２では、アプリケータ１０８は一度で爪全体をカバーすることができない可能性もあるため、ソフトウェアは爪のどの部分にコーティングを塗布するかを決定する。この特定は、カメラで撮影した画像を分析し、爪の端部から画像を描写する。この特定は、爪を効率的にカバーするための最適パス又はパスのセットを形成することもできる。この特定は、ネイルコーティングシステム１００から受け取った命令に基づいて行われる。
【００８５】
ステップ１６０３では、ソフトウェアは、アプリケータ１０８に対応する爪の位置を特定し、アプリケータ１０８が正しい位置にあるかを確認する。この特定をするために、タッチ面１１２又はカメラ１０６を使用してもよい。ステップ１６０４では、爪又はアプリケータが正しい位置に配置されておらず、アプリケータ１０８がモータアセンブリに取り付けられている場合、ステップ１６０７では、ソフトウェアはモータに対し、アプリケータ１０８を正しい位置に動かすように指示を出す。アプリケータ１０８がモータに取り付けられていない場合、ステップ１６０５において、ユーザに対し、爪を正しい位置に動かすように指示を出す。移動命令を出した後、ステップ１６０３に戻り、ソフトウェアはアプリケータが正しい位置に配置されているかを確認する。
【００８６】
ソフトウェアが、爪が正しい位置に配置されていることを確認すると、ステップ１６０６において、アプリケータ１０８が爪の一部にコーティングを塗布するように命令を出す。コーティングが塗布された後、ステップ１６０８において、さらなるコーティングの塗布が必要か否かを特定する。ステップ１６０８での特定は、カメラ１０６によって光学的、ユーザ入力によって、または開ループ制御シーケンスで特定される。更にコーティングが必要である場合、ステップ１６０３において、ソフトウェアはコーティングを塗布する新たな位置を特定する、またはプロセスを完了させる。一実施例では、ソフトウェアは同じ又は異なるコーティングに複数のコーティングを塗布するように構成されている。
【００８７】
図１７Ａ、１７Ｂはネイルコーティングシステム１００の例を図示しており、システムを使用していない間、主要部１７０１を保護するためのカバー１７０２が設けられている。
【００８８】
図１８Ａ、１８Ｂ、１８Ｃはネイルコーティングシステム１００の一実施例を図示しており、システムは保管時において保護部１８０１及び１８０２によって保護されている。一実施例では、保護部１８０１はアプリケータアセンブリ１１７を保管し、可搬型電子機器１１３を安定させることができる。保護部１８０２は、マニキュア１８０４、ファイル、ネイルプッシャー、その他ネイルに必要なアイテムを保管するためのコンパートメント１８０３を有しても良い。
【００８９】
図１７Ｂ、１８Ｃで示される通り、接続されたネイルコーティングシステム１００は立方体を形成する。これによって、内部の物品を保護しつつ、必要な物品を移動可能とする。
【００９０】
種々の実施例は、添付する請求項の例証として示した具体的な構成要素を有するが、本願の請求項の範囲は、これらの実施例の組み合わせに限定されない。当業者は、ある実施例の構成要素または特徴のいくつかを、別の実施例の特徴または構成要素と組み合わせて使用することができる。さらに、これらの内容は、構造の性質及び／又は方法に特定した語で説明されたが、本請求項で定義される内容は、描写された特徴または行動に限定されるものではない。前の記述は、例証として解釈され、いかなる限定的な意味にも解釈されるべきではない。当業者は、一定の変更が本開示の範囲内に収まることを理解するであろう。
これらの理由のために、本開示の真の範囲および内容を決定するために、以下の特許請求の範囲が考慮されるべきである。
【００９１】
説明を明確にするために、本願の一実施形態では、本発明の技術は、機能ブロック、機能ブロックを有する装置、装置コンポーネント、ソフトウェアに埋め込まれた方法に含まれる手順またはルーチン、又はハードウェアとソフトウェアとの組み合わせによる。
【００９２】
一実施例では、コンピュータ読取可能な装置、媒体及びメモリには、ビットストリーム又は相当するケーブル又はワイヤレスシグナルを有していてもよい。ただし、コンピュータ読取可能な媒体は、エネルギー、キャリアシグナル、電磁波、いわゆるシグナル等の媒体を除外する。
【００９３】
上述した例による方法は、保存されまたはコンピュータ読取可能な媒体で入手可能な、コンピュータ実行命令によって実施できる。このよう命令は、例えば一般目的のコンピュータを構成する命令及びデータと、特別な目的を有するコンピュータと、又は一部、一群の機能を実行するための装置を含む。使用されているコンピュータ資源の一部には、ネットワークから接続可能である。コンピュータ実行可能命令は、例えばバイナリ、並びにアセンブリ言語、ファームウェア、ソースコード等の中間形式命令である。命令、使用された情報及び／又は上述した例によって生成された情報を保存するために使用されるコンピュータ読取可能な媒体の例は、磁気ディスク及び光学ディスク、フラッシュメモリ、不揮発性記憶装置で提供されるＵＳＢ装置、ネットワーク保存デバイス等である。
【００９４】
本開示に基づく方法を使用した装置は、ハードウェア、ファームウェア及び／又はソフトウェアであり、様々な形状因子であってよい。このような形状因子の典型例は、ノートパソコン、スマートフォン、パソコン、デジタルアシスタント等である。説明される機能は、周辺機器又はアドインカードで実行され得る。このような機能は、複数の異なるチップの間の回路盤又は単体装置を実行するための手順にも使用される。
【００９５】
命令、命令を伝達する媒体、命令を実行するためのコンピュータ資源、コンピュータ資源を助けるための構造は、これらの開示において説明された機能を与えるためのものである。
【００９６】
種々の実施例は、例証として示した具体的な構成要素を有するが、本開示の実施例は、それらの特定の組み合わせに限定されなく、ある実施例の構成要素または特徴のいくつかを、別の実施例の特徴または構成要素と組み合わせて使用することができる。さらに、いくつかの実施例の内容は構造の特徴及び／方法の例で使用される特定の言語で説明したが、添付する請求項で特性される内容はこれらの特徴または行動に限定されないことは言うまでもない。例えば、このような機能は、本説明で特定される方法以外でも、別途配信または構成毎に実行してもよい。代わりに、本明細書で開示される特徴及び手順は、添付する請求項の範囲におけるシステム及び方法の構成要件の一例である。
【図１Ａ】
2020116436.tif 000003
【図１Ｂ】
2020116436.tif 000004
【図２】
2020116436.tif 000005
【図３Ａ】
2020116436.tif 000006
【図３Ｂ】
2020116436.tif 000007
【図４Ａ】
2020116436.tif 000008
【図４Ｂ】
2020116436.tif 000009
【図４Ｃ】
2020116436.tif 000010
【図５】
2020116436.tif 000011
【図６Ａ】
2020116436.tif 000012
【図６Ｂ】
2020116436.tif 000013
【図６Ｃ】
2020116436.tif 000014
【図６Ｄ】
2020116436.tif 000015
【図７】
2020116436.tif 000016
【図８】
2020116436.tif 000017
【図９Ａ】
2020116436.tif 000018
【図９Ｂ】
2020116436.tif 000019
【図１０Ａ】
2020116436.tif 000020
【図１０Ｂ】
2020116436.tif 000021
【図１０Ｃ】
2020116436.tif 000022
【図１１Ａ】
2020116436.tif 000023
【図１１Ｂ】
2020116436.tif 000024
【図１２Ａ】
2020116436.tif 000025
【図１２Ｂ】
2020116436.tif 000026
【図１２Ｃ】
2020116436.tif 000027
【図１２Ｄ】
2020116436.tif 000028
【図１２Ｅ】
2020116436.tif 000029
【図１３Ａ】
2020116436.tif 000030
【図１３Ｂ】
2020116436.tif 000031
【図１３Ｃ】
2020116436.tif 000032
【図１４】
2020116436.tif 000033
【図１５】
2020116436.tif 000034
【図１６】
2020116436.tif 000035
【図１７Ａ】
2020116436.tif 000036
【図１７Ｂ】
2020116436.tif 000037
【図１８Ａ】
2020116436.tif 000038
【図１８Ｂ】
2020116436.tif 000039
【図１８Ｃ】
2020116436.tif 000040